(57)【要約】【課題】  ユーザが携帯通信端末の画面を視認することなく、着信している複数のサービスの種類と件数を素早くユーザに通知することができる携帯通信端末を提供する。【解決手段】  携帯通信端末１では、複数の異なる音声データを音声データテーブル４３に記憶させておく。そして、音声発生の指示を契機に、不在着信の種類および件数に応じて、音声データテーブル４３から音声データを取り出し、音声制御部３０内の音声合成部３２により、取り出した音声データを組合せ（ミキシングし）、この音声データを基にして音声発生部３３から音声を発生させ、不在着信の種類および件数をユーザに通知する。【選択図】  図１
2006094351.tif 000002
【特許請求の範囲】
【請求項１】
着信の記録機能を備えた携帯通信端末であって、
複数の異なる音色を有する音声データ記憶手段と、
着信の種類および着信の件数に応じて前記音声データを組合せる音声合成手段と、
前記組合せた音声データにより音声発生する音声発生手段と
を有することを特徴とする携帯通信端末。
【請求項２】
前記音声データは異なる旋律を有すること
を特徴とする請求項１に記載の携帯通信端末。
【請求項３】
前記音声発生手段に対して音声発生を指示する指示部を
さらに有することを特徴とする請求項１または請求項２に記載の携帯通信端末。
【請求項４】
前記指示部は、着信から一定時間経過した場合に指示を行うこと
を特徴とする請求項３に記載の携帯通信端末。
【請求項５】
２つの筐体をヒンジ部で結合した開閉自在の携帯通信端末において、
前記開閉を検出する開閉検出手段を
さらに備えることを特徴とする請求項１から４のいずれかに記載の携帯通信端末。
【請求項６】
複数の異なる音色を有する音声データを記憶するステップと、
着信の種類および着信の件数を解析するステップと、
前記解析結果に応じて前記音声データを組合せるステップと、
前記組合せた音声データにより音声発生するステップと
を有することを特徴とする携帯通信端末の着信通知方法。
【請求項７】
前記音声データは異なる旋律を有すること
を特徴とする請求項６に記載の携帯通信端末の着信通知方法。
【請求項８】
着信が複数の場合には、異なる旋律を縮み合わせた音声として通知すること
を特徴とする請求項６または請求項７に記載の携帯通信端末の着信通知方法。
【請求項９】
前記着信の種類は、発信者の電話帳への登録の有無、不在着信の件数、音声メモの有無、電話、メール、コンテンツダウンロード完了、留守電のいずれかであること
を特徴とする請求項６から８のいずれかに記載の携帯通信端末の着信通知方法。
【発明の詳細な説明】
【技術分野】
【０００１】
本発明は、携帯通信端末および携帯通信端末の着信通知方法に関し、特に、ユーザが表示部を視認することなく、複数の音声データを組み合わせて発生させることにより、着信の種類と件数を識別して通知することができる、携帯通信端末および携帯通信端末の着信通知方法に関する。
【背景技術】
【０００２】
近年では携帯電話機等の携帯通信端末には電話機能のみならず、電子メール機能もコミュニケーション手段としてすっかり定着してきており、メールでの交信回数も増えている。また、携帯通信端末によるメールの交信回数の増加に伴い、気づかないうちに複数のメールを受信していることも多い。
【０００３】
このような場合に対処する先行技術として、返送や転送等の受信メールのタイトルに応じて異なる着信音を鳴動してメールの受信を識別して通知するものがある（例えば、特許文献１参照）。しかし、携帯通信端末を衣服のポケットやバッグに入れている場合や、特に騒音の大きい環境下においては、気づかないうちに複数のメールや電話を受信している場合も多い。また、そのような場合に、着信状況を確認するには、携帯通信端末の表示部を視認するしかなく、わざわざ携帯通信端末をポケットやバッグから取り出さなければならない。
【０００４】
また、目視確認の必要のない方法も提案されている。図５に目視確認の必要のない従来の携帯通信端末の構成例を示す。図５において、携帯通信端末１００をバッグやポケットに入れたまま、操作部１０２に該当するサイドボタンを押す。あるいは、着信後、タイマー部１０３を用い、一定時間を計測しておく。あるいは、開閉スイッチ１０４を用い、筐体を開く動作を検知する。それらをきっかけにして、制御部１０１では、記憶部１１０中の優先度テーブル（着信サービス種別ごとの優先度を設定したテーブル）１１１を参照し、着信サービスに対する優先度の条件判断をもとに、最も優先度の高い着信サービスについて、音声制御部１０６、振動発生部１０５を制御して、音声や振動でユーザに着信を通知している。
【０００５】
図６は、図５に示す従来の携帯通信端末における処理手順を示すフローチャートである。図６において、最初に、携帯通信端末１００をバッグやポケットに入れたまま、図５示す操作部１０４に該当するサイドボタンを押す（ステップＳ３０１）。あるいは、着信後、タイマー部１０３を用い、一定時間を計測しておく（ステップＳ３０２）。あるいは、開閉スイッチ１０４を用い、筐体を開く動作を検知する（ステップＳ３０３）。それらをきっかけにして、制御部１０１で処理を開始する。なお、筐体が開いている場合は、通常の通知動作を行なう。例えば、着信を画面表示する（ステップＳ３０４）。
【０００６】
ステップＳ３０３において、筐体が閉じていると判定した場合は、次に着信しているサービス（例えば、電子メール）があるかどうかを判断する（ステップＳ３０５）。着信がない場合は、着信なしの場合の音声を出力する（ステップＳ３０６）。
【０００７】
次に、着信のある場合は、着信しているサービスは１つかどうか判定する（ステップＳ３０７）。着信しているサービスが１つの場合は、ステップＳ３０９の音声再生可能かどうかを判定するステップに移行する。着信しているサービスが複数の場合は、その中で最高優先度のサービスを選択する（ステップＳ３０８）。
【０００８】
最高優先度のサービスが選択されると（ステップＳ３０８）、そのサービスに対応する音声再生可能かどうかを判定する（ステップＳ３０９）。音声再生が可能でない場合は、音声再生ができない場合に割り当てられている振動パターンにより振動発生部１０６を動作させる（ステップＳ３１０、Ｓ３１１）。
【０００９】
一方、音声再生可能な場合には、記憶部１１０の音声データテーブル（サービス種別と音声データの対応テーブル）１１２を参照し、割り当てられている音声データを検索する（ステップＳ３１２）。割り当てられている音声データが取り出されると、この音声データを、音声合成部１０７に送る。そして、音声合成部１０７では、音声データを合成して音声発生部１０８に送る（ステップＳ３１３、Ｓ３１４）。
【特許文献１】特開２００２−２４４９８０号公報
【発明の開示】
【発明が解決しようとする課題】
【００１０】
上述した特許文献１の先行技術では、気づかないうちに複数のメールや電話を受信している場合は、着信状況を確認する方法として、携帯通信端末の表示部を視認するしかなく、わざわざ携帯通信端末をポケットやバッグから取り出さなければならなかった。
【００１１】
また、図５に示した従来の携帯通信端末では、複数のサービスを受信した場合に、閉じた状態の折りたたみ携帯電話のサイドボタンを押したり、一定時間が経ったりしたとき、優先度に応じてあるひとつのメロディーや音声案内を鳴らしたり、音声案内を順番に出力することで対応している。そうすると、複数のサービスが着信しているにもかかわらず、いずれかひとつのサービスの着信についてしか通知されなかったり、音声案内を順番に出力することによって通知することによる冗長性があったりしたために、どのようなサービスを着信したかを短時間で知ることができなかった。
【００１２】
本発明は上記課題を解決するためになされたものであり、本発明の目的は、表示部を視認することなく、複数の音声データを組み合わせて、着信の種類と件数を加味した通知をおこない、それぞれを識別可能とする、携帯通信端末、および携帯通信端末の着信通知方法を提供することにある。
【課題を解決するための手段】
【００１３】
本発明は上記課題を解決するためになされたものであり、着信の記録機能を備えた携帯通信端末であって、複数の異なる音色を有する音声データ記憶手段と、着信の種類および着信の件数に応じて前記音声データを組合せる音声合成手段と、前記組合せた音声データにより音声発生する音声発生手段とを有することを特徴とする。
これにより、ユーザが携帯通信端末を視認することなく、異なる音色を組み合わせた音声を発生することにより、着信の種類と件数を識別してユーザにすばやく通知することができる。
【００１４】
また、前記音声データは異なる旋律を有することを特徴とする。
これにより、ユーザが携帯通信端末を視認することなく、異なる旋律を組み合わせた音声を発生することにより、着信の種類と件数を識別してユーザにすばやく通知することができる。例えば、1つの楽曲について各楽器が担当する旋律を音声データとして記憶しておき、着信の種類及び件数に応じて各楽器の旋律の音声データを組み合わせて（ミキシング）して再生することで、曲の完成度によってどのサービスが着信しているかを瞬時に知ることができる。
【００１５】
また、前記音声発生手段に対して音声発生を指示する指示部をさらに有することを特徴とする。
これにより、着信したサービスの種類と件数を確実にユーザに通知することができる。
【００１６】
また、前記指示部は、着信から一定時間経過した場合に指示を行うことを特徴とする。
これにより、ユーザが着信を確認できない環境（または状況）にあった時から一定時間経過後に、着信の種類と件数を音声データの組み合わせによりユーザに通知することができる。
【００１７】
また、２つの筐体をヒンジ部で結合した開閉自在の携帯通信端末において、前記開閉を検出する開閉検出手段をさらに備えることを特徴とする。
これにより、これにより、ユーザが携帯通信端末の筐体を開いている状態のときは、音声出力を行なうことなく、通常の方法で着信内容を表示部に表示することができる。
【００１８】
また、複数の異なる音色を有する音声データを記憶するステップと、着信の種類および着信の件数を解析するステップと、前記解析結果に応じて前記音声データを組合せるステップと、前記組合せた音声データにより音声発生するステップとを有することを特徴とする携帯通信端末の着信通知方法である。
これにより、ユーザが携帯通信端末を視認することなく、異なる音色を組み合わせた音声を発生することにより、着信の種類と件数を識別してユーザにすばやく通知することができる。
【００１９】
また、前記音声データは異なる旋律を有することを特徴とする。
これにより、ユーザが携帯通信端末を視認することなく、異なる旋律の音声を発生することにより、着信の種類を識別してユーザにすばやく通知することができる。
【００２０】
また、着信が複数の場合には、異なる旋律を縮み合わせた音声として通知することを特徴とする。
これにより、ユーザが携帯通信端末を視認することなく、異なる旋律を組み合わせた音声を発生することにより、着信の種類と件数を識別してユーザにすばやく通知することができる。
【００２１】
また、前記着信の種類は、発信者の電話帳への登録の有無、不在着信の件数、音声メモの有無、電話、メールのいずれかであることを特徴とする。
これにより、ユーザが携帯通信端末を視認することなく、不在着信の種類を詳細にユーザに通知することができる。
【発明の効果】
【００２２】
本発明の携帯通信端末においては、異なる音色を有する音声データを予め記憶しておき、着信をユーザに通知する場合に、着信の種類および着信の件数に応じて音声データを組合せて音声出力するようにしたので、これにより、ユーザが携帯通信端末を視認することなく、異なる音色を組み合わせた音声を発生することにより、着信の種類と件数を識別してユーザにすばやく（かつ直感的に）通知することができる。
【００２３】
また、本発明の携帯通信端末においては、異なる旋律の音声データを予め記憶しておき、着信の種類および着信の件数に応じて旋律を組合せて音声出力するようにしたので、これにより、ユーザが携帯通信端末を視認することなく、異なる旋律を組み合わせた音声を発生することにより、着信の種類と件数を識別してユーザにすばやく通知することができる。例えば、1つの楽曲について各楽器が担当する旋律を音声データとして記憶しておき、着信の種類及び件数に応じて各楽器の旋律の音声データを組み合わせて（ミキシング）して再生することで、曲の緻密さや濃密さなどによってどのサービスがどの程度の件数で着信しているかを瞬時に知ることができる。
【００２４】
また、本発明の携帯通信端末においては、着信があったことをユーザに知らせるための、音声発生の契機を与える指示部を設けるようにしたので、これにより、着信したサービスの種類と件数を確実にユーザに通知することができる。
【００２５】
また、本発明の携帯通信端末においては、着信があってから一定時間経過した後に、着信があったことをユーザに通知するようにしたので、これにより、ユーザが着信を確認できない環境（または状況）にあった時から一定時間経過後に、着信の種類と件数を音声データの組み合わせによりユーザに通知することができる。
【００２６】
また、本発明の携帯通信端末においては、ヒンジ部で結合された２つの筐体の開閉を検出するようにしたので、これにより、ユーザが携帯通信端末の筐体を開いている状態のときは、音声出力を行なうことなく、通常の方法で着信の内容を表示部に表示することができる。
【００２７】
また、本発明の携帯通信端末の着信通知方法においては、複数の異なる音色を有する音声データを予め記憶しておき、着信の種類および件数を解析し、着信の種類および件数に応じて、異なる音色の音声データを組合せて発生させるようにしたので、これにより、ユーザが携帯通信端末を視認することなく、異なる音色を組み合わせた音声を発生することにより、着信の種類と件数を識別してユーザにすばやく通知することができる。
【００２８】
また、本発明の携帯通信端末の着信通知方法においては、異なる旋律の音声データを予め記憶しておき、着信の種類に応じた旋律の音声データを出力するようにしたので、これにより、ユーザが携帯通信端末を視認することなく、異なる旋律の音声を発生することにより、着信の種類を識別してユーザにすばやく通知することができる。
【００２９】
また、本発明の携帯通信端末の着信通知方法においては、着信の種類ごとに異なる旋律の音声データを予め記憶しておき、着信が複数の場合には、着信の種類および着信の件数に応じて音声データ（旋律の音声データ）を組合せて出力するようにしたので、これにより、ユーザが携帯通信端末を視認することなく、異なる旋律を組み合わせた音声を発生することにより、着信の種類と件数を識別してユーザにすばやく通知することができる。
【００３０】
また、本発明の携帯通信端末の着信通知方法においては、音声データにより区別する着信の種類を、発信者の電話帳への登録の有無、不在着信の件数、音声メモの有無、電話、メールのいずれかであるようにしたので、これにより、ユーザが携帯通信端末を視認することなく、不在着信の種類を詳細にユーザに通知することができる。
【発明を実施するための最良の形態】
【００３１】
次に本発明を実施するための最良の形態について図面を参照して説明する。
【００３２】
［概要］
最初に、本発明の携帯通信端末の実施の形態の概要について説明しておく。本発明の携帯通信端末では、不在時のサービス着信を通知する音声として、例えば、楽曲などひとつのコンテンツを限定する。また、その楽曲は複数に分割できるものとし、各々を音声データとする。そして、メロディーや曲の一部分を音声データに割り当てる（図２（ａ）参照）。
【００３３】
そして、例えば、電話帳に保存されている人からの不在着信、電話帳に保存されていないひとからの不在着信、電子メール着信、コンテンツダウンロード完了、留守録、音声メモなどの不在時のサービス着信に対して、１つの楽曲から分割された音声データをおのおのに割り当てる。
【００３４】
これにより、複数の不在時サービス着信があったときに、例えばサイドボタンを押したり等のユーザー側からの操作指示によるものや、着信してから一定時間を経過したりした場合、着信サービスに該当した各音声データをミキシングして再生することで、再生された音声は分割される前の楽曲に近づくため、曲の緻密さや濃密さなどによってどのサービスが着信しているかを瞬時に知ることができる。
【００３５】
なお、楽曲データとしてマルチトラック（複数チャネルに楽譜データをそれぞれ持つ）を１ファイルとして保持するようなファイルを使用することにより、現状存在しているデータを改変することなくファイルサイズの小さい楽曲データで実現できる。（図２（ｂ）参照）
【００３６】
［本発明の携帯通信端末の構成例］
図１は、本発明の携帯通信端末の構成例を示す図である。携帯通信端末１は、電話機器としての発信・着信機能と、メールセンタにアクセスすることでインターネットを介して電子メールの送受信を行なう機能を備えている。
【００３７】
図１において、携帯通信端末１は、携帯通信端末１の全体を制御する制御部１１と、無線基地局と無線回線を接続するアンテナ１２及び送受信部１３と、送受信部１３における無線通信の制御を行なう通信制御部１４と、テンキーやサイドスイッチ等を備える操作部１５と、一定時間を計測するタイマー部１６と、筐体を開く動作を検知する開閉スイッチ（開閉検出手段）１７と、文字情報や画像情報などを出力表示する画面表示部１８と、携帯通信端末の充電や着信などの状態表示用のＬＥＤ部１９と、着信を知らせ振動発生部２０とを備える。
【００３８】
また、音声制御部３０には、音声データを解析する音声解析部３１と、着信の種別と件数に応じて音声データを組み合わせる（ミキシングする）音声合成部（音声合成手段）３２と、音声合成部３２から音声データを受け取り音声を発生する音声発生部（音声発生手段）３３とを備える。
【００３９】
また、記憶部４０には、電話や電子メールの着信（不在着信を含む）を記録する着信記録部４１、アドレス帳（電話帳および電子メールのアドレス帳など）４２、音声データテーブル４３、振動パターンテーブル４４等が記憶されている。音声データテーブル４３は、図２（ａ）に示すようなテーブルであり、これについては後述する。また、振動パターンテーブル４４は着信の種別ごとに発生する振動パターンを登録するテーブルである。
【００４０】
次に、サービス着信の種類と音声データの割り当て方法の例について説明する、
まず、サービス着信の各種類に対して、再生させる音声データ（１つの楽曲を分割した音声データ）を割り当てるために、不在時のサービス着信の種別を決定する。なお、種別はあらかじめ決められていてもよいし、ユーザが編集できてもよい。
【００４１】
例えば、サービス着信の種別は、図２（ａ）の音声データテーブルの例に示すように、「電話帳に保存されている人からの不在着信１件」、「電話帳に保存されている人からの不在着信２件以上」、「電話帳に保存されていない人からの不在着信あり」、「電話帳に保存されている人からの音声メモあり」、「電話帳に保存されていない人からの音声メモあり」、「電話帳に保存されている人からのメール着信あり」、「電話帳に保存されていない人からのメール着信あり」、「ＳＭＳ（Short Message Service）着信」などに分けることができる。
【００４２】
次に、各サービス種別に対して、設定した楽曲の一部（音声データ）を各着信サービスに割り当てる。あらかじめ種別が決められている場合は、自動的に楽曲データが音声データに分割され、割り当てられる形式でもよい。
【００４３】
図２（ａ）に示す例では、「電話帳に保存されている人からの不在着信１件」には、バイオリン１の音声データを割り当て、「電話帳に保存されている人からの不在着信２件以上」、のはバイオリン１とバイオリン２の２つの音声データを割り当て、以下同様にして、「電話帳に保存されていない人からの不在着信あり」、「電話帳に保存されている人からの音声メモあり」、「電話帳に保存されていない人からの音声メモあり」、「電話帳に保存されている人からのメール着信あり」、「電話帳に保存されていない人からのメール着信あり」に対して、音声データを割り当てる。
【００４４】
このように、着信サービスの種類と件数に応じて音声データが割り当てられ、着信の内容をユーザに通知する場合は、例えば、複数のサービス種別の着信があるか、複数の着信がある時には、対応する各音声データがミキシングして再生され、曲の完成度によってどのサービスが着信しているかを瞬時に知ることができる。
【００４５】
［本発明の携帯通信端末のフローチャートによる動作説明］
次に、図１に示す携帯通信端末の動作を、フローチャートを参照して説明する。ユーザへ着信内容を通知する場合には、ユーザのサイドボタン押下、開閉イベント、不在時のサービス受信後のタイマーなどをきっかけとして、図３あるいは図４のフローチャートで示す処理が実行される。
【００４６】
図３は、本発明の携帯通信端末における第１の処理手順を示すフローチャートである。以下、図３のフローチャートを参照して、その処理手順について説明する。
【００４７】
最初に、携帯通信端末１をバッグやポケットに入れたまま、図１に示す操作部１５に該当するサイドボタンを押す（ステップＳ１０１）。あるいは、着信後、図１に示すタイマー部１６を用い、一定時間を計測しておく（ステップＳ１０２）。あるいは、開閉スイッチ１７を用い、筐体を開く動作を検知する（ステップＳ１０３）。なお、筐体が開いている場合は、音声による着信通知は行なわず、画面表示するなどの通常の使用状態での通知動作を行なう（ステップＳ１０４）。
【００４８】
筐体が閉じている場合は、次に着信しているサービス（例えば、電話や電子メール）があるかどうかを判断する（ステップＳ１０５）。着信がない場合は、着信なしの場合の音声を出力する（ステップＳ１０６）。
【００４９】
次に、着信に対して音声再生可能かどうかを判断する（ステップＳ１０７）。音声再生が可能でない場合は、音声再生ができない場合に割り当てられている振動パターンを図１に示す記憶部４０の振動パターンテーブル４４を検索して取り出し（ステップＳ１０８）、この割り当てられた振動パターンにより振動発生部２０を動作させる（ステップＳ１０９）。
【００５０】
一方、音声再生可能な場合には、音声データテーブル４３を参照し、着信に割り当てられている音声データを検索する（ステップＳ１１０、Ｓ１１１）。着信に対して割り当てられている音声データがすべて取り出されると、この音声データを、図１に示す音声制御部３０中の音声解析部３１へ送る。
【００５１】
この音声データの検索と、音声解析部３１への音声データの送出は、該当音声データが別々のもの（ファイルなど）として扱われる場合、図２（ａ）に示す音声データテーブルに基づいて、着信サービス種別に応じて、すべての該当音声データを検索する。そして、検索した音声データをひとつずつ音声解析部３１に送り解析する（ステップＳ１１２）。そして、音声解析部３１では、解析が終了したものから順に音声合成部３２に送る。
【００５２】
また、音声合成部３２では、音声解析部３１から送られた音声データの合成（ミキシング）を行ない（ステップＳ１１３）、すべての音声データが合成（ミキシング）されると（ステップＳ１１２、Ｓ１１３、Ｓ１１４）、音声発生部３３に合成された音声データを送り再生を行う（ステップＳ１１５）。
【００５３】
また、図４は、本発明の携帯通信端末における第２の処理手順を示すフローチャートであり、他の実現方法を示すものである。図４のフローチャートにおいては、ステップＳ１０１からステップＳ１１０までは、図３と同じであり、その説明を省略し、ステップＳ２１１からの手順について説明する。
【００５４】
ステップＳ２１１においては、音声データ（例えば、楽曲データ）が１つのものとして扱われ、割り当てパターンと音声データが音声解析部３１に送られる。音声解析部３１では、割り当てパターンに応じて音声データを分解し（ステップＳ２１２）、分解した音声データを音声合成部３２へ送る（ステップＳ２１３）。
【００５５】
音声合成部３２では、音声解析部３１から受け取った音声データのミキシングを行い、このミキシングした音声データを音声発生部３３へ送る（ステップＳ２１４）。
【００５６】
なお、このとき、図２（ｂ）に示すように、楽曲データとして、現状存在しているマルチトラック（複数チャネルに楽譜データをそれぞれ持つタイプ）のファイルを使用することができる。このタイプのファイルを使用することで、ファイルサイズの小さい楽曲データで本発明を実現することができる。
【００５７】
図２（ｂ）に示すファイルサイズの小さい楽曲データ例は、８トラックの音楽データ用の標準フォーマットを使用する例であり、ヘッダに楽曲の長さ等の情報を入れ、トラック１からトラック８には、旋律データとして楽譜データと音色の種類などを記録した例である。
【００５８】
以上説明したように、本発明の携帯通信端末においては、ユーザが携帯通信端末を視認することなく、着信しているサービスすべてを素早くユーザに通知することができる。また、新しいファイルフォーマットを提案することなく、小さいファイルサイズ・少ない処理コストで実現できる。
【００５９】
また、図５に示した従来の携帯通信端末では、複数のサービスを受信した場合の着信サービスごとの優先度の条件判断が必要であったが、本発明の携帯通信端末ではその必要がなくなる。
【００６０】
なお、上述した本発明の実施の形態では、１つの楽曲を分割した音声データを組み合わせて、着信の種別と件数を識別するようにしているが、これに限らず、異なる音色の組み合わせや、異なる旋律の組み合わせであってもよい。
【００６１】
また、上記実施の形態では、携帯通信端末を例に挙げて説明したが、携帯通信端末としては、携帯電話機、モバイル端末、ＰＤＡ（Personal Digital Assistance）等が含まれる。
【００６２】
以上、本発明の携帯通信端末の実施の形態について説明したが、本発明の携帯通信端末は、上述の図示例にのみ限定されるものではなく、本発明の要旨を逸脱しない範囲内において種々変更を加え得ることは勿論である。
【産業上の利用可能性】
【００６３】
本発明は、ユーザが携帯通信端末の画面を視認することなく、着信している複数のサービスの種類と件数を素早くユーザに通知することができる効果を奏するので、本発明は、携帯通信端末、および携帯通信端末の着信通知方法等に有用である。
【図面の簡単な説明】
【００６４】
【図１】本発明の携帯通信端末の構成例を示す図である。
【図２】音声データの例とファイルサイズの小さい楽曲データ例を示す図である。
【図３】本発明の携帯通信端末における第１の処理手順を示すフローチャートである。
【図４】本発明の携帯通信端末における第２の処理手順を示すフローチャートである。
【図５】従来の携帯通信端末の構成例を示す図である。
【図６】従来の携帯通信端末における処理手順を示すフローチャートである。
【符号の説明】
【００６５】
１  携帯通信端末
１１  制御部
１２  アンテナ
１３  送受信部
１４  通信制御部
１５  操作部
１６  タイマー部
１７  開閉スイッチ
１８  画面表示部
１９  ＬＥＤ部
２０  振動発生部
３０  音声制御部
３１  音声解析部
３２  音声合成部
３３  音声発生部
４０  記憶部
４１  着信記録部
４２  アドレス帳
４３  音声データテーブル
４４  振動パターンテーブル
【図１】
2006094351.tif 000003
【図２】
2006094351.tif 000004
【図３】
2006094351.tif 000005
【図４】
2006094351.tif 000006
【図５】
2006094351.tif 000007
【図６】
2006094351.tif 000008